(57)【特許請求の範囲】
【請求項１】
少なくとも２つの相互係合ネット要素（１２ａ）を有し、その少なくとも１つのネット要素（１２ａ）が、腐食防止保護コーティング（３０ａ）を備えた少なくとも１本のワイヤ（１４ａ）を有する少なくとも１本の単一ワイヤ、ワイヤ束、ワイヤストランド、ワイヤロープ、および／またはいくつかの他の長手方向要素から製造された、重量物を安定化、捕捉および／または遮断および／または保持するための保護ネット用のワイヤネット監視装置において、少なくとも１つの腐食指標（２０ａ）を監視するように構成された少なくとも１つの腐食監視ユニット（１８ａ）を備え、前記腐食監視ユニット（１８ａ）が、前記腐食指標（２０ａ）の判定のために少なくとも部分的な情報を提供するように構成された少なくとも１つの腐食チェック要素（２２ａ、２２’ａ）を含み、前記腐食チェック要素（２２ａ、２２’ａ）は、電気陽性度の異なる表面を有する少なくとも２個の電極（２０４ａ、２０６ａ）を含むＡＣＭ（大気腐食モニタ）センサ（２１６ａ）として少なくとも部分的に具現化され、前記少なくとも２個の電極（２０４ａ、２０６ａ）は、乾燥状態において互いに電気的に絶縁され、湿潤状態において前記電極（２０４ａ、２０６ａ）が電気的に接触したときにガルバニック電流が流れる電解質を形成する水滴を介して電気的に接触し、アノード（２１０ａ）を形成する電極（２０４ａ）は、コーティング（２８ａ）を有し、前記アノード（２１０ａ）の前記コーティング（２８ａ）は、監視されるべき保護ネットの前記ワイヤ（１４ａ）の前記腐食防止保護コーティング（３０ａ）と少なくとも実質的に同一に具現化されていることを特徴とする、監視装置。
【請求項２】
前記腐食監視ユニット（１８ａ）は、少なくとも１つのデータ転送モジュール（３８ａ）を含むことを特徴とする、請求項１に記載の監視装置。
【請求項３】
前記腐食監視ユニット（１８ａ）は、前記データ転送モジュール（３８ａ）の少なくとも１つの出力を記録するように構成された少なくとも１つのデータロガーモジュール（４０ａ）を含むことを特徴とする、請求項２に記載の監視装置。
【請求項４】
前記腐食監視ユニット（１８ａ）は、前記データ転送モジュール（３８ａ）によって出力されたデータを外部受信機（４４ａ）に通信するように少なくとも構成された少なくとも１つの通信モジュール（４２ａ）を含むことを特徴とする、請求項２または３に記載の監視装置。
【請求項５】
前記腐食監視ユニット（１８ａ）は、腐食の監視中に発生する可能性のある系統的エラーを特定および／または補正するように少なくとも構成された少なくとも１つの補正モジュール（４６ａ）を含むことを特徴とする、請求項１乃至４のいずれか一項に記載の監視装置。
【請求項６】
前記ＡＣＭセンサ（２１６ａ）は、少なくとも１つの無抵抗電流計を含むことを特徴とする、請求項１に記載の監視装置。
【請求項７】
少なくとも１つの腐食要素（２６ａ）を流れる電流の少なくとも部分的な空間的な範囲設定のための少なくとも１つの電気絶縁体（３２ａ；３２’ａ）を特徴とする、請求項１乃至６のいずれか一項に記載の監視装置。
【請求項８】
前記腐食監視ユニット（１８ａ）が、少なくとも１つのさらなる腐食チェック要素（４８ａ、４８’ａ’’）を含むことを特徴とする、請求項１に記載の監視装置。
【請求項９】
前記少なくとも１つのさらなる腐食チェック要素（４８ａ、４８’ａ’’）は、前記腐食チェック要素（２２ａ；２２’ａ’’）の空間的方位とは著しく異なる空間的方位を有することを特徴とする、請求項８に記載の監視装置。
【請求項１０】
少なくとも前記腐食監視ユニット（１８ａ）がパルス方式で動作可能であることを特徴とする、請求項１乃至９のいずれか一項に記載の監視装置。
【請求項１１】
少なくとも１つの光起電ユニット（５０ａ）を特徴とする、請求項１乃至１０のいずれか一項に記載の監視装置。
【請求項１２】
前記腐食監視ユニット（１８ａ）が、前記腐食指標（２０ａ）とは異なる少なくとも１つのさらなる腐食指標（５２ａ）を監視するように構成されることを特徴とする、請求項１乃至１１のいずれか一項に記載の監視装置。
【請求項１３】
前記腐食監視ユニット（１８ａ）は、前記さらなる腐食指標（５２ａ）を、電気センサユニット（２４ａ）の検出方法とは異なる検出方法により監視するように構成された少なくとも１つのさらなる電気センサユニット（５４ａ）を含むことを特徴とする、請求項１２に記載の監視装置。
【請求項１４】
前記腐食監視ユニット（１８ａ）は、少なくとも１つの周囲パラメータおよび／または気象パラメータを監視するように構成された少なくとも環境センサユニット（５６ａ）を含むことを特徴とする、請求項１乃至１３のいずれか一項に記載の監視装置。
【請求項１５】
前記腐食監視ユニット（１８ａ）は、監視されるワイヤネット（１０ａ）への動的衝撃体の衝撃力を検知するように構成された少なくとも１つの衝撃力センサユニット（５８ａ）を含むことを特徴とする請求項１乃至１４のいずれか一項に記載の監視装置。
【請求項１６】
請求項１乃至１５のいずれか一項に記載の複数の監視装置を有する監視システム（６０ａ）。
【請求項１７】
前記複数の監視装置がネットワーク化されていることを特徴とする、請求項１６に記載の監視システム。
【請求項１８】
請求項１乃至１２のいずれか一項に記載の少なくとも１つの監視装置を有するとともに、少なくとも１つのワイヤネット（１０ａ）を有する、ワイヤネット（１０ａ）の腐食を監視するシステム（６２ａ）。
【請求項１９】
少なくとも２つの相互係合ネット要素（１２ａ）を有し、その少なくとも１つのネット要素（１２ａ）が、少なくとも１本のワイヤ（１４ａ）を有する少なくとも１本の単一ワイヤ、ワイヤ束、ワイヤストランド、ワイヤロープおよび／またはいくつかの他の長手方向要素から製造された、重量物を安定化、捕捉、および／または遮断、および／または保持するための保護ネットの腐食を監視する方法において、少なくとも１つの腐食指標（２０ａ）が監視され、前記腐食指標（２０ａ）は、前記保護ネットの腐食を示す少なくとも１つの腐食影響特性を含み、腐食の強度および／または進行は、前記腐食指標（２０ａ）によって決定され、腐食の強度および／または進行は、電気陽性度の異なる表面を有する少なくとも２個の電極（２０４ａ、２０６ａ）間に流れるガルバニック電流に基づいて決定され、アノード（２１０ａ）を形成する電極（２０４ａ）は、コーティング（２８ａ）を有し、前記アノード（２１０ａ）の前記コーティング（２８ａ）は、監視されるべき保護ネットの前記ワイヤ（１４ａ）の腐食防止保護コーティング（３０ａ）と少なくとも実質的に同一に具現化されていることを特徴とする、方法。
【請求項２０】
少なくとも腐食の強度が、電流フローの電流値によって判定されることを特徴とする、請求項１９に記載の方法。
【請求項２１】
前記腐食指標（２０ａ）の閾値（７０ａ）を超過した場合、アンダーショットした場合、および／または到達した場合、自動通知がトリガーされることを特徴とする請求項１９または２０に記載の方法。
【発明の詳細な説明】
【背景技術】
【０００１】
本発明は、請求項１のプリアンブルに記載されたような監視装置、および請求項３０のプリアンブルに記載されたようなワイヤネットの腐食を監視する方法に関する。
本発明の目的は、特に、一般的なタイプの装置と、安全性に関して有利な特性を有する方法とを提供することにある。この目的は、本発明に従い、請求項１および３０の特徴によって達成され、一方、本発明の有利な構成および展開は、従属請求項から収集することができる。
【発明の概要】
【０００２】
本発明は、少なくとも２つの相互係合ネット要素を有し、その少なくとも１つのネット要素が、少なくとも１本の単一ワイヤ、ワイヤ束、ワイヤストランド、ワイヤロープおよび／または特に、高張力鋼から製造された少なくとも１本のワイヤを有するいくつかの他の長手方向要素から製造されたワイヤネット用、特に、静的構造物を安定化、および／または重量物を捕捉、および／または遮断および／または保持するための保護ネット用の監視装置、特に、ワイヤネット監視装置に基づく。
【０００３】
監視装置は、少なくとも１つの腐食指標を監視するように構成された少なくとも１つの腐食監視ユニットを含むことが提示される。その結果、安全性に関して特に有利な特性、特に、ワイヤネットの特性を提供することが可能である。有利には、ワイヤネット、特に、ワイヤネット設備の保護効果および／または耐久性を監視することができ、その結果、特に、機能不良を回避することができる。特に、有利には、ワイヤネットの耐用年数の簡単な判定を可能にすることができる。特に、耐用年数の終了を確認したり、かつ／または残存耐用年数を推定したりすることができる。さらに、遠隔監視を有利に可能にすることができ、それにより、人による直接の現場監視を有利に置き換えることができ、それにより、特に、ワイヤネットが、アクセスできず、安全でない地域に設置されることが多いため、特に、コスト、作業負荷、および／または事故の危険を低減することが可能になる。さらに、場所依存腐食に関するデータを有利に収集することができ、その結果、同程度の場所にワイヤネットを将来設置する場合に、特定の周囲条件にワイヤネット特性を適合させることが可能になる。特に、結果として効率を改善することができる。さらに、監視装置は、特に、ワイヤネットの設置前に、ワイヤネットとは無関係に、場所の腐食性を確認および／または推定するように構成されることが想定される。この目的のために、有利には、腐食監視ユニットは、その場所におけるワイヤネットとは独立して構築することができ、特定の場所における環境の腐食性は、特に、確認された腐食指標によって推定することができる。その結果、有利には、場所条件の事前推定を可能にすることができ、その結果、特に、場所における構造アセンブリ、例えば、保護ネットの設計を最適化することができる。
【０００４】
特に、ワイヤネットは、斜面の安定化として、安全フェンスとして、キャッチフェンスとして、落石保護ネットとして、バリアフェンスとして、養魚ネットとして、捕食動物保護ネットとして、囲いフェンスとして、トンネルの安全装置として、地滑りの保護として、モータースポーツの保護フェンスとして、道路のフェンスとして、雪崩の保護として、またはその他として具体化される。特に、その高い強度および／または負荷容量のために、例えば、発電所、工場建物、住居または他の建物の被覆および／または保護として、爆発保護として、発射体保護として、飛来物に対する遮蔽として、安全ネットとして、ラムの保護として、またはその他としての用途も想定される。ワイヤネットは、特に、ベースに対して、例えば、水平または垂直または斜めに、レイアウトおよび／または配置および／または搭載することができる。特に、ワイヤネットは、平面状に具体化される。有利には、ワイヤネットは、少なくとも一方向に規則的および／または周期的に構成されている。「重量物」とは、特に、好ましくは一体の、少なくとも１ｋｇ、好ましくは少なくとも１０ｋｇ、好ましくは少なくとも１００ｋｇ、または特に好ましくは少なくとも１０００ｋｇの重量を有する負荷を意味するものと理解されるべきである。「一体の」とは、特に、１つのピースに成形されていることを意味するものと理解されるべきである。
【０００５】
「ネット要素」とは、ワイヤネット、好ましくは保護ネットの特に分離可能な基本要素を特に意味し、隣接する基本要素との相互係合によってワイヤネット、特に、保護ネットを形成するものと理解されるべきである。ネット要素は、フィラメント状構造、特に、例えば、少なくとも１本の単一ワイヤ、少なくとも１本のワイヤ束、少なくとも１本のワイヤストランド、および／または少なくとも１本のワイヤロープからなるワイヤ構造として特に具体化される。フィラメント状構造、特に、ワイヤ構造は、特に、２つの開口端を有するか、または自身が閉鎖されている。好ましくは、フィラメント状構造、特に、ワイヤ構造は、非負荷状態で、少なくとも実質的に一平面内にある。ネット要素は、少なくとも部分的に円形、菱形、および／または均一および／または不規則な多角形の形状を構成する、特に、不規則な形状、または、好ましくは、規則的な形状を有することができる。特に、安全ネットの異なるネット要素は、異なる形状を持つことができる。しかしながら、好ましくは、ネット要素は、少なくとも実質的に同一の形状を有する。好ましくは、ネット要素は、螺旋体、特に、平坦化された螺旋体として、またはリング、特に、ワイヤリングとして具体化される。特に、ネット要素は、リングメッシュのメッシュリンクまたはメッシュの螺旋体を少なくとも部分的に形成する。好ましくは、「少なくとも実質的に同一」とは、製造公差を除いて、かつ／または製造エンジニアリングの可能性の範囲内で同一を意味するものと理解されるべきである。
【０００６】
有利には、ワイヤ、特に、ワイヤ束、ワイヤストランド、ワイヤロープ、および／または少なくとも１本のワイヤを有する他の長手方向要素は、少なくとも部分的に、特に、コーティングから完全に離れて、高張力鋼から製造される。好ましくは、ワイヤは、高張力鋼ワイヤである。例として、高張力鋼は、ばね鋼、および／またはワイヤ鋼、および／またはワイヤロープに適した鋼とすることができる。特に、ワイヤは、少なくとも８００Ｎｍｍ−２の引張強度、有利には、少なくとも１０００Ｎｍｍ−２の引張強度、特に有利には、少なくとも１２００Ｎｍｍ−２の引張強度、好ましくは少なくとも１４００Ｎｍｍ−２の引張強度、特に好ましくは少なくとも１６００Ｎｍｍ−２の引張強度、特に、約１７７０Ｎｍｍ−２または約１９６０Ｎｍｍ−２の引張強度を有する。また、ワイヤは、さらに高い引張強度、例えば、少なくとも２０００Ｎｍｍ−２の引張強度、または少なくとも２２００Ｎｍｍ−２の引張強度、または少なくとも２４００Ｎｍｍ−２の引張強度を有することも想定される。その結果、高い負荷容量、特に、高い引張強度および／または高い剛性をワイヤネットに対して横方向に達成することが可能である。さらに、有利な曲げ特性を達成することができる。特に、ワイヤ、好ましくは、複数のワイヤは、特に、ネット要素、好ましくは、螺旋体および／またはリングからなるワイヤ編組を少なくとも部分的に形成するように構成されている。「構成されている」とは、特に、特別にプログラム、設計、および／または装備されていることを意味する。物が特定の機能用に構成されているという事実は、特に、物が少なくとも１つの使用状態および／または動作状態でこの特定の機能を達成および／または実行することを意味する。腐食指標は、特に、少なくとも１つの腐食影響特性、特に、材料特性、および／または材料構成、特に、ワイヤネットの少なくとも一部、および／またはワイヤネットとは別個に具体化され、ワイヤネットの腐食を示し、かつ／またはワイヤネットがさらされる条件と少なくとも実質的に同一の周囲条件および／または気象条件に好ましくはさらされる要素の少なくとも一部を含む。好ましくは、特に、ワイヤネットの少なくとも一部の状態、特に、瞬間的な強度および／または腐食の進行は、腐食指標によって判定可能である。腐食指標は、特に、少なくとも１つの表面着色、例えば、錆の着色、少なくとも１つの表面構成、少なくとも１つの重量損失、少なくとも１つの引裂抵抗、少なくとも１つの振動周波数、特に、共振振動周波数、ワイヤネットのワイヤの少なくとも一部および／またはワイヤネットとは別に具体化された要素の少なくとも一部の電気伝導率および／またはオーム抵抗、および／または好ましくは、電流、特に、好ましくはワイヤネットとは別個に具体化される少なくとも２個の電極間の電流を含む。腐食監視ユニットは、腐食指標を検出し、登録し、かつ／または好ましくは感知するために、特に、ユーザがそれにアクセスできるようにするために、および／またはワイヤネットの状態、機能性および／または安全性を推定するために、それをデータベースと自動的に比較するように特に構成される。
【０００７】
さらに、腐食監視ユニットは、腐食指標を判定するための少なくとも部分的な情報を供給するように構成された少なくとも１つの腐食チェック要素を含むことが提示される。その結果、簡単な腐食判定を有利に可能にすることができ、その結果、特に、監視されたワイヤネットの安全性を有利に高めることができる。さらに、腐食チェック要素は、有利には、ワイヤネットの多数の、好ましくは、任意に選択可能な場所に配置することができる。好ましくは、腐食チェック要素は、ワイヤネットから分離された方法で具体化される。特に、腐食チェック要素は、ワイヤネットとの導電性接触がない。代替的に、腐食チェック要素を犠牲アノードとして具体化することも想定される。特に、腐食チェック要素は、ワイヤネットの少なくとも一部が露出している条件と同等の、好ましくは、少なくとも実質的に同一の周囲条件および／または気象条件にさらされる。特に、腐食チェック要素は、少なくとも部分的に腐食するように少なくとも部分的に構成され、腐食チェック要素の腐食、特に、腐食の状態、腐食の強度および／または腐食の進行は、ワイヤネットの少なくとも一部の腐食、特に腐食の状態、腐食の強度および／または腐食の進行を示す。腐食は、特に、白錆、赤錆、および／またはさらなる酸化、特に、材料腐食、化学的プロセスおよび／または物理的プロセス、および／または材料特性、例えば強度および／または脆性を変化させる化学的プロセスおよび／または物理的プロセスを包含する。特に、腐食チェック要素は、腐食要素を形成することができる。特に、腐食要素は、腐食チェック要素を形成することができる。
【０００８】
さらに、腐食チェック要素は、ＡＣＭ（大気腐食モニタ：Ａｔｍｏｓｐｈｅｒｉｃ  Ｃｏｒｒｏｓｉｏｎ  Ｍｏｎｉｔｏｒ）センサとして少なくとも部分的に具体化されることが提示される。その結果、簡単かつ／または信頼性のある腐食判定を有利に可能にすることができ、その結果、特に監視されたワイヤネットの安全性を有利に高めることができる。有利には、腐食に比例する電流、特に、腐食チェック要素の、特に、コーティングの腐食、特に材料侵食に比例する電流フローを取得することができ、この電流フローから、材料侵食、瞬間的な材料侵食、および／または腐食チェック要素および／または腐食チェック要素のコーティングの現在の残存材料の厚さの時間的プロファイルを有利に確認することができる。有利には、例えば、１年または複数年以内の、材料侵食の時間的プロファイルの十分に長い判定によって、特定の材料厚さの完全な侵食までの期間を推定することができる。その結果、ワイヤネットの耐用年数の推定を有利に可能にすることができる。特に、ＡＣＭセンサは、好ましくは、金属および／または合金間を流れるガルバニック電流に基づいて、環境の腐食性および／または腐食率、特に、金属および／または合金の浸食率を判定するように構成されている。特に、ＡＣＭセンサは、特に、乾燥状態では、互いに電気的に絶縁されている少なくとも２個の電極を含む。電極は、特に、異なる材料から少なくとも部分的に形成され、好ましくは、異なる電気陽性度の金属から形成される。少なくとも１つの電極が少なくとも１つのコーティングを有することが想定され、その結果、特に、少なくとも２個の電極の少なくとも表面材料が異なる。好ましくは、表面材料は、異なる電気陽性度の金属から形成される。有利には、少なくとも１つの電極は、ワイヤネットのワイヤの少なくとも１つのセグメントと実質的に同一に具体化される。その結果、腐食チェック要素において測定された材料侵食の、ワイヤネットの材料侵食への可能な最良の移行可能性を有利に達成することができる。有利には、ＡＣＭセンサの少なくとも１つのさらなる電極は、ワイヤのセグメントと実質的に同一に具体化される電極よりもより電気陽性の材料から少なくとも部分的に形成される。より電気陽性の材料は、特に、鋼、銀、金、コバルト、ニッケル、銅、プラチナ、パラジウム、電気化学電位系列の亜鉛より上のさらなる元素、および／または電気化学電位系列の亜鉛より上の合金を含むことができる。特に、電極、特に、異なる表面材料を有する電極は、互いに接触することなく配置される。特に、電極、特に、異なる表面材料を有する電極は、直接の相互電気接触がない。好ましくは、電極、特に、異なる表面材料を有する電極は、湿潤状態において、電解質を形成する水滴を介して電気的に接触する。特に、電極が電気的に接触すると、ガルバニック電流が流れる。ガルバニック電流フローは、特に、より電気陰性の電極の材料侵食および／または腐食をもたらす。電流フローは、有利には材料侵食に比例する。電解質の存在および／または特性、特に、腐食特性は、腐食チェック要素が特定の時点でさらされる周囲条件に特に依存し、その結果、その時点での周囲条件の腐食性を有利に推定することが可能であ��。
【０００９】
さらに、腐食チェック要素は、複数の異なるコーティングされた腐食チェックスティックを有するスティックインジケータとして具体化されることが提示される。その結果、簡単かつ／または費用効果の高い腐食判定を有利に可能にすることができ、その結果、特に、監視されたワイヤネットの安全性を有利に高めることができる。スティックインジケータは、特に、少なくとも２個、選好的には少なくとも４個、好ましくは、少なくとも６個、特に好ましくは、少なくとも８個の腐食チェックスティック用のホルダを含む。スティックインジケータは、腐食チェックスティックが、監視されるワイヤネットがさらされる腐食と実質的に同一の腐食にさらされるように、腐食チェックスティックを取り付けるために特に構成されている。特に、腐食チェックスティックは、個々の場合に異なるコーティング厚さを有する少なくとも１つのコーティングを有する。好ましくは、腐食チェックスティックは、コーティング厚さの増大および／または減少に従って分類される方法でスティックインジケータ内に配置される。特に、最大コーティング厚さを有する腐食チェックスティックのコーティング厚さは、監視されるワイヤネットのワイヤのコーティング厚さと実質的に同一である。結果として、スティックインジケータにおいて観察される腐食の、監視されるワイヤネットの状態への良好な移行可能性を有利に可能にすることができる。さらなる腐食チェックスティックのコーティング厚さは、最大コーティング厚さよりも薄く、例えば、前記最大のコーティング厚さの１０％、２０％、３０％、４０％、５０％、６０％、７０％、８０％、および／または９０％である。代替的に、腐食チェックスティックは、コーティング厚さが２５ｇ／ｍ２、５０ｇ／ｍ２、１００ｇ／ｍ２、１５０ｇ／ｍ２、２００ｇ／ｍ２、２５０ｇ／ｍ２および３００ｇ／ｍ２または５ｇ／ｍ２、１０ｇ／ｍ２、２０ｇ／ｍ２、４０ｇ／ｍ２、８０ｇ／ｍ２、１６０ｇ／ｍ２および３２０ｇ／ｍ２の亜鉛コーティングを有する。加えて、少なくとも１つの腐食チェックスティックが、監視されるワイヤネットのワイヤのコーティング厚さよりも大きいコーティング厚さを有することが想定される。有利には、腐食の進行および／または状態は、スティックインジケータの光学検査によって簡単な方法で読み取ることができる。腐食の進行および／または状態は、特に、特定のエージング時間後に白錆および／または赤錆などのような腐食現象を示すスティックインジケータの多数の腐食チェックスティックに基づいて確認することができる。特に、特定の場所における環境の腐食性を評価するために、スティックインジケータが、ワイヤネットとは独立して、かつ／または現場でワイヤネットを計画的に取り付ける前に設置されることが想定される。結果として、設置前のワイヤネットの最適化は、例えば、その場所で予想される腐食に対するコーティングの厚さの適合により、有利に可能にすることができる。加えて、スティックインジケータは、例えば、ステンレス鋼などの異なる材料、および／または異なるコーティング材料を含む腐食チェックスティックを特に含むことができる。結果として、例えば、特定の場所に適した材料および／またはコーティング材料を判定することが可能となる。腐食チェックスティックは、好ましくは、監視されるワイヤネットのワイヤのセグメントの形状と少なくとも実質的に同一の形状、特に、スティック形状を有する。その結果、試験結果のワイヤネットへの良好な移行可能性を有利に達成することができる。代替的に、腐食チェックスティックが、スティック形状から逸脱した形状、例えば、少なくとも１つの屈曲点を有するスティック形状、層状形状、球状形状、平行六面体形状、および／またはスティックとは異なるさらなる幾何学的形状を有することが想定される。スティックインジケータは、腐食監視ユニットのカメラにより有利に監視される。代替的または追加的に、スティックインジケータが、例えば、定期的にユーザによって調査されること、および／または個々の腐食チェックスティックの腐食の進行が、特に、手動で記録されることが想定される。代替的または追加的に、腐食の進行を調査するために、スティックインジケータを、好ましくは定期的に、特に、自動および／または手動で操作可能なドローンのカメラによって撮影することが想定される。結果として、ケーブル、無線リンク、および／またはオペレータによる、恐らく起伏の多い地形の横断を省略することが有利に可能であり、その結果、費用および／または損傷のリスクを有利に低減することができる。
【００１０】
さらに、腐食監視ユニットが、確認された少なくとも１つの腐食指標を少なくとも出力するように特に構成された少なくとも１つのデータ転送モジュールを備えることが提示される。その結果、例えば、データ転送モジュールによって、腐食指標を、さらなる電子処理および／またはユーザによる調査のために有利に構成できるという事実によって、ユーザの利便性を有利に達成することができる。データ、特に、腐食指標は、データ転送モジュールによって、少なくとも１つのコンピューティングユニット、例えば中央サーバ、ローカルハブ、および／または腐食監視ユニットの内部コンピューティングユニット、例えば、腐食監視ユニットの制御および／または調整ユニットに通信されることが想定される。このコンピューティングユニットは、データ、特に、腐食指標を処理、分析、記録、収集、および／または表示、特に、グラフ表示するように特に構成されている。
【００１１】
さらに、腐食監視ユニットは、データ転送モジュールの少なくとも１つの出力を記録するように構成された少なくとも１つのデータロガーモジュールを含むことが提示される。結果として、腐食指標、特に、腐食の時間的プロファイルおよび／または時間的推移を有利に確認および／または監視することができる。好ましくは、データロガーモジュールは、腐食指標をストレージユニットのデータベースに格納する。ストレージユニットは、例えば、制御および／または調整ユニットの腐食監視ユニットの内部ストレージユニットとして、または例えば、コンピューティングユニットの外部ストレージユニットとして特に具体化することができる。好ましくは、データロガーモジュールは、データ、特に、複数の腐食監視ユニットおよび／または複数の監視装置からの腐食指標を記録するように構成されている。その結果、中央データベースを有利に構成することができ、その結果、良好な明瞭性を有利に構成することができる。データロガーモジュールは、例えば、画面などの表示ユニット上のグラフィカルな概観として表現可能なグラフィカル表現のために記録されたデータを調整するために少なくとも構成されるように想定される。例として、データロガーモジュールによって記憶されたデータを用いて、ユーザがアクセス可能な概要マップを作成して、様々な場所の様々なワイヤネットが腐食の個々の状態、腐食の強度、および／または腐食の進行とともに前記マップ上に表示されることが想定される。耐用年数の終了に近づいており、かつ／または重度に腐食しているワイヤネットは、概要マップにおいて、例えば、色でマークすることにより、強調表示することができる。
【００１２】
さらに、腐食監視ユニットは、データ転送モジュールによって出力されるデータ、特に、腐食の進行、腐食の強度および／または腐食の状態に関する通知、好ましくは、腐食の進行、腐食の強度および／または腐食の状態に関する警告および／またはステータスメッセージを、好ましくは、自動化された方法で外部受信機、例えば、スマートフォンに通信接続の手段によって自動化された方法で特に送信するために通信するように少なくとも構成された少なくとも１つの通信モジュールを備えることが提示される。その結果、特に、最新の情報が常時リモートユーザに利用可能になるという事実により、ユーザの利便性をさらに有利に高めることができる。さらに、監視されるワイヤネットの安全性は、特に、ワイヤネットの腐食損傷を責任者に適時に示すことができるという事実により、有利に達成することができる。警告メッセージにより、責任者は、ワイヤネットの状態に関する情報を適時に、かつ多大な労力をかけることなく、例えば、測定結果を調べることなく、有利に取得することができる。好ましくは、通信モジュールは無線容量、特に、移動無線容量を有する。特に、通信モジュールは、例えば、ＥＤＧＥ、ＧＰＲＳ、ＨＳＣＳＤモバイル無線プロトコルによって、かつ／または好ましくは、ＧＳＭ（登録商標）モバイル無線プロトコルなどのモバイル無線プロトコルによって通信する。好ましくは、通信モジュールは、データ転送モジュールによって出力されるデータの他に、例えば、場所、時刻、バッテリー状態、機能状態、周囲パラメータおよび／または気象パラメータに関するさらなるデータを送信する。通知は、特に、少なくとも１つの電子メール、少なくとも１つのＳＭＳ、少なくとも１つの写真、少なくとも１つのビデオファイル、および／または例えば、ニュースフィード、ワッツアップ（ＷｈａｔｓＡｐｐ（登録商標））、および／またはスカイプ（Ｓｋｙｐｅ（登録商標））などのインターネットプログラムによる、少なくとも１つのインターネットデータ転送を含むことができる。特に、自動送信は、定期的に、および／または事前に定義されたイベント、例えば、閾値の超過および／またはアンダーショットの発生後に実行される。「外部受信機」は、少なくとも１つの携帯電話、特に、スマートフォンとして特に具体化することができる。代替的または追加的に、外部受信機は、通信モジュールの環境内に配置されたドローンとして具体化することができる。警告メッセージは、テキストメッセージ、画像メッセージとして、かつ／または警告音および／または警告灯などの警告信号として特に具体化することができる。例として、ワイヤネット設備が、警告メッセージが受信されたときに点滅を開始する少なくとも１つの警告灯を含むことが想定される。その結果、多数のワイヤネットを有するワイヤネット設備内の腐食したワイヤネットおよび／または安全でないワイヤネットを、簡単な方法で有利に示すことができる。
【００１３】
さらに、腐食監視ユニットは、腐食の監視中、特に、腐食指標の測定中に潜在的に発生する系統的エラーを特定および／または補正するように少なくとも構成された少なくとも１つの補正モジュールを含むことが提示される。結果として、高い信頼性および／または精度を有利に達成することができる。特に、結果として、系統的エラー（例えば、測定信号、特に、腐食指標のドリフト）につながる可能性のある影響が及ぶ場所において、監視装置の適合性を有利に得ることが可能である。例として、塩を含む環境では、腐食指標上に塩の堆積物が発生して、導電率の測定に影響を与える可能性がある。例として、温度変動は、電流および／または電圧プロファイル、特に、検出器（例えば、電流および／または電圧検出器）の測定値に影響を及ぼす可能性がある。補正モジュールは、腐食指標の一時的な信号プロファイルに基づいて、および／または例えば、温度データなどの追加のセンサデータの支援により、系統的エラーを特定するように特に構成されている。
【００１４】
さらに、腐食監視ユニットは、少なくとも１つの腐食指標を監視するように構成された少なくとも１つの電気センサユニットを備えることが提示される。結果として、腐食に関する測定変数は、特に、自動化された方法で有利に判定することができる。特に、電気センサユニットは、有利には、特に、自動化された方法で電気的に読み取り可能であり、その結果、連続的な監視、特に、遠隔監視を可能にすることができる。有利には、電気センサユニットは、オペレータから独立して動作することができ、その結果、コスト、労力、および事故のリスクを有利に低減することができる。特に、電気センサユニットは、カメラと、腐食要素および／または腐食チェック要素に機械的応力を加える張力ユニットと、腐食要素および／または腐食チェック要素の振動周波数、特に、共振振動周波数を生成および／または検出する振動ユニットと、電圧測定ユニットと、および／または抵抗測定ユニットとを備える。
【００１５】
さらに、電気センサユニットが少なくとも１つの無抵抗電流計を備えることが提示される。その結果、腐食を促進する可能性のある電圧を印加することなく、電流フローを有利に測定することができる。特に、結果として、２個の電極間に流れるガルバニック電流は確実に測定可能であり、その結果、材料侵食に比例するＡＣＭセンサの電流値を有利に確認することができる。無抵抗電流計は、有利には、最小の、特に、測定に関して相互に無視できる固有抵抗を有する。さらに、腐食指標は、少なくとも腐食要素の導電率、少なくとも腐食要素の電気抵抗、および／または少なくとも２つの電極間の少なくとも電流フローを含むことが提示される。その結果、腐食に関する信頼性のある測定変数を有利に確認することができる。結果として、有利には、監視されるワイヤネットの高い安全性を達成することが可能である。特に、腐食が進行するにつれて、腐食要素の電気抵抗が上昇する。特に、腐食が進行するにつれて、電気抵抗が低下する。特に、電流フローは、少なくとも１つの電極、特に、腐食要素の材料侵食率に比例する。腐食要素は、特に電気センサユニットによって、腐食指標の測定のための少なくとも１つの測定点、少なくとも１つの測定領域、および／または少なくとも１つの測定位置を提供するように構成された要素として特に具体化される。腐食要素は、特に、ＡＣＭセンサの少なくとも１つの電極を少なくとも部分的に形成することができる。好ましくは、腐食要素は、アノード、特に、ＡＣＭセンサのアノードを少なくとも部分的に形成する。さらなる電極は、特に、ＡＣＭセンサのカソードとして少なくとも部分的に具体化される。カソードは、特に、アノードよりもより電気陰性の材料で少なくとも部分的に形成されている。好ましくは、電気センサユニットは、常におよび／または排他的に同じ腐食要素および／または同じ複数の腐食要素において腐食指標を測定する。結果として、腐食指標の時間的推移の監視を有利に可能にすることができる。腐食要素は、ワイヤネットとは別個に具体化され、かつワイヤネットとの電気的接触がない腐食チェック要素として具体化されること、および／または、ワイヤネットのさらなるワイヤと同一および／または異なるように具体化することができるワイヤネットの少なくとも一部として、特に、ワイヤネットのワイヤとして具体化されることが想定される。
【００１６】
加えて、腐食指標は、腐食要素のコーティングの少なくとも導電率、腐食要素のコーティングの少なくとも電気抵抗、および／または少なくとも１つの腐食要素の少なくともコーティングと少なくとも１つのさらなる電極との間の少なくとも電流フローを含むことが提示される。結果として、腐食に関する信頼性のある測定変数を有利に確認することができ、これは、ワイヤネットの腐食、特に、ワイヤネットの防食保護層の腐食に特に直接関係することができる。結果として、有利には、監視されるワイヤネットの高い安全性を達成することが可能である。特に、腐食要素のコーティング、特に、腐食チェック要素のコーティングは、亜鉛コーティングとして、亜鉛−アルミニウムコーティングとして、および／または亜鉛−アルミニウム−マグネシウムコーティングとして具体化される。好ましくは、腐食要素のコーティング、特に、腐食チェック要素のコーティングは、ワイヤネットの少なくとも一部のコーティング、特に、ワイヤネットのワイヤの少なくとも一部のコーティングと少なくとも実質的に同一に具体化される。好ましくは、腐食要素のコーティング、特に、腐食チェック要素のコーティングは、ワイヤネットの少なくとも一部のコーティングの少なくとも一部、特に、ワイヤネットのワイヤの少なくとも一部の層厚と少なくとも実質的に同一の層厚を有する。代替的に、腐食チェック要素が事前インジケータとして具体化されることも想定される。事前インジケータの場合、特に、腐食チェック要素のコーティングの層厚は、ワイヤのコーティングの層厚よりも著しく薄い。「著しく薄い」とは、特に、少なくとも１０％薄い、選好的には少なくとも２５％薄い、好ましくは少なくとも３３％薄い、または特に、好ましくは少なくとも５０％薄いことを意味するものと理解されるべきである。結果として、腐食チェック要素の腐食は、ワイヤネットのワイヤの腐食の前に有利に識別可能になり、その結果、腐食の早期識別を有利に可能にすることができる。好ましくは、腐食要素のコーティング、特に、腐食チェック要素のコーティングは、特に、ワイヤネットの少なくとも一部のコーティングの少なくとも一部、特に、ワイヤネットのワイヤの少なくとも一部の材料構成と少なくとも実質的に同一の材料構成を有する。好ましくは、腐食要素のコーティング、特に、腐食チェック要素のコーティングは、ワイヤネットの少なくとも一部のコーティングの少なくとも一部、特に、ワイヤネットのワイヤの少なくとも一部の表面曲率と実質的に同一の表面曲率を有する。好ましくは、腐食要素のコーティング、特に、腐食チェック要素のコーティングは、ワイヤネットの少なくとも一部のコーティングの少なくとも一部、特に、ワイヤネットのワイヤの少なくとも一部の表面構成と少なくとも実質的に同一の表面構成を有する。
【００１７】
さらに、腐食要素のコーティング、特に、腐食チェック要素のコーティングは、監視されるワイヤネットの少なくとも１つのワイヤの防食保護コーティングと少なくとも実質的に同一に具体化されることが提示される。結果として、腐食に関する信頼性のある測定変数を有利に確認することができ、これは、ワイヤネットの腐食、特に、ワイヤネットの防食保護層の腐食に特に直接関係することができる。結果として、有利には、監視されるワイヤネットの高い安全性を達成することが可能である。加えて、腐食要素からワイヤネットへの測定結果のより良好な移行可能性を有利に可能にすることができる。
【００１８】
監視装置が、少なくとも１つの腐食要素を通る電流フローの範囲を特に少なくとも部分的に空間的に定めるために少なくとも１つの電気絶縁体を含む場合、例えば、電流フローを、腐食指標の表面領域など、腐食に最もさらされる腐食指標の領域に範囲が定められることができるという事実により、腐食指標の測定、特に、腐食指標の測定の精度が有利に最適化される。結果として、監視されるワイヤネットの高い安全性を達成することが有利に可能となる。電気絶縁体は、腐食要素の内部、特に、腐食チェック要素の内部の少なくとも１つの絶縁コアとして特に具体化することができる。代替的に、絶縁体は、腐食要素の少なくとも１つの絶縁中間層、特に、腐食チェック要素の少なくとも１つの絶縁中間層として具体化され得る。絶縁中間層は、高張力鋼からなる特に内部ワイヤを例えば、コーティングから特に電気的に絶縁することができる。好ましくは、絶縁体は、腐食指標を確認するために特に判定および／または使用される電流フローの範囲を定める。好ましくは、絶縁体は、腐食に特にさらされる腐食要素の一部、特に、腐食チェック要素の一部、例えば、外側部分および／または特に、外側コーティングに電流フローの範囲を定める。特に、空間的な範囲設定は、腐食要素、特に、腐食チェック要素の半径方向に行われる。特に、絶縁体は、外部絶縁コーティング、例えば、ワイヤの有機コーティングとは異なる。特に、絶縁体は、腐食要素および／またはワイヤを長手方向に終端する絶縁端部キャップとは異なる。好ましくは、コーティングは、絶縁体に対して良好な保持力を有し、これは、特に、高張力鋼に対するコーティング保持力の少なくとも８０％、選好的には少なくとも９０％、有利には少なくとも１００％、好ましくは少なくとも１２０％、特に好ましくは少なくとも１５０％である。１つの好ましい実施形態では、絶縁体は、ＡＣＭセンサのカソードとして特に具体化される少なくとも１つの電極から、ＡＣＭセンサのアノードを特に形成する腐食要素、特に、腐食チェック要素を電気的に絶縁するように構成されている。この場合、電気絶縁体は、電極を分離する空隙として少なくとも部分的に具体化することができる。好ましくは、２個の電極間、特に、ＡＣＭセンサのカソードとアノードとの間の空隙によって形成される最小距離は、少なくとも０．２ｍｍ未満、選好的には少なくとも０．１５ｍｍ未満、好ましくは少なくとも０．１ｍｍ未満であり、かつ特に好ましくは少なくとも０．０５ｍｍより大きい。従って、乾燥状態では、カソードとアノードは有利に電気的に絶縁され、実質的に材料侵食がない。湿潤状態では、カソードおよびアノードは特に電気的に接触しており、特に、材料侵食につながる電流フローは電解質の組成に依存する。
【００１９】
さらに、電気絶縁体は、腐食要素の内部に少なくとも部分的に配置されることが提示される。結果として、腐食要素、特に、腐食チェック要素の外層および／またはコーティングへの電流フローの範囲設定を有利に達成することができる。好ましくは、電気絶縁体は、その全周囲において、腐食要素、特に、腐食チェック要素の少なくとも１つの導電性部分、特に、金属部分によって取り囲まれる。
【００２０】
さらに、初期状態の腐食チェック要素は、ワイヤネットの配送状態で監視されるワイヤネットのワイヤの外郭断面と少なくとも実質的に同一の外郭断面を有することが提示される。結果として、腐食に関する信頼性のある測定変数を有利に確認することができ、これは、ワイヤネットの腐食、特に、ワイヤネットの防食保護層の腐食に特に直接関係することができる。結果として、監視されるワイヤネットの高い安全性を達成することが有利に可能となる。特に、その結果、腐食チェック要素およびワイヤネットのワイヤの腐食に対する表面曲率および／または表面張力の少なくとも実質的に同一の影響を有利に可能にすることができる。その結果、腐食チェック要素からワイヤネットへの測定結果のより良好な移行可能性を有利に可能にすることができる。「初期状態」および／または「配送状態」は、特に、腐食されていない状態を意味するものと理解されるべきである。「外郭断面」は、特に、腐食チェック要素および／またはワイヤを半径方向に範囲を定める最外層の断面の輪郭を意味するものと理解されるべきであり、ここで、断面は、特に、腐食チェック要素および／またはワイヤの長手方向に垂直である。
【００２１】
腐食監視ユニットは、少なくとも１つのさらなる腐食チェック要素、選好的には少なくとも２つのさらなる腐食チェック要素、好ましくは少なくとも複数のさらなる腐食チェック要素を備えることが提示され、ここで、さらなる１つまたは複数の腐食チェック要素は、腐食チェック要素と少なくとも実質的に同一に特に具体化される。結果として、冗長性を有利に増加させることができ、その結果、特に、監視装置の耐久性および／または耐用年数を増加させることができる。加えて、特に、異なる腐食指標の測定値を比較することができるという事実により、腐食指標の特に精度および／または信頼性を有利に達成することができる。少なくとも３つの腐食要素の特に腐食指標の比較の結果、有利には、誤りのある測定値を選別し、偏差を平均化することができる。
【００２２】
さらに、少なくとも１つのさらなる腐食チェック要素は、腐食チェック要素の空間的方位とは著しく異なる、好ましくは腐食チェック要素の空間的方位に対して少なくとも実質的に垂直な空間的方位を有することが提示される。その結果、特に、監視が可能な限り方位に依存しないという事実により、ワイヤネットの可能な限り完全かつ／または正確な監視を有利に可能にすることができる。加えて、有利には、取り付けの過程で監視装置の方位の影響を低減することが可能である。結果として、監視されるワイヤネットの高い安全性を達成することが有利に可能となる。腐食チェック要素の空間的方位が、監視されるワイヤネットのネット要素の有効的な空間的方位に対応することが想定される。例として、菱形メッシュを有するワイヤネットの場合、腐食チェック要素は、菱形の側面に平行に配向され、かつ／または、螺旋体を有するワイヤネットの場合、腐食チェック要素は、螺旋体の脚部に平行に配向される。「実質的に垂直」という表現は、本明細書では、特に、基準方向に対する方向の方位を定義することを意図しており、方向および基準方向は、特に平面で見て、９０°の角度を形成し、その角度は特に、８°未満、有利には５°未満、かつ特に有利には２°未満の最大偏差を有する。
【００２３】
さらに、少なくとも腐食監視ユニット、特に、少なくともセンサユニット、データ転送モジュール、データロガーモジュール、通信モジュールおよび／または補正モジュールは、少なくとも部分的にパルス方式で動作可能であることが提示される。その結果、省エネルギー機能を有利に得ることができ、その結果、有利には、監視装置のエネルギー源に蓄積されたエネルギーを効率的に利用することができ、かつ／またはエネルギー源の交換および／または充電までに長時間の動作が可能になる。結果として、可能な限り干渉のない、かつ／または中断のない監視装置の動作を有利に達成することができる。さらに、特に、連続動作との比較において、電流フロー用に構成された電子部品および／または部品は、慎重に扱われる。好ましくは、パルス動作は、例えば、数分、数時間、数日および／または数週間の間隔で個々の電気パルスを用いて、定期的な間隔で実行される。エネルギー源は、少なくとも１つの、好ましくは交換可能なバッテリーおよび／または好ましくは少なくとも１つの再充電可能なバッテリーを特に含むことができる。特に、制御および／または調整ユニットは、少なくとも腐食監視ユニット、特に、少なくともセンサユニット、データ転送モジュール、データロガーモジュール、通信モジュールおよび／または補正モジュールをパルス方式で動作させるように構成されている。「制御および／または調整ユニット」は、少なくとも１つの電子制御ユニットを含むユニットを特に意味する。「電子制御ユニット」は、プロセッサユニットを含むとともにストレージユニットを含み、かつストレージユニットに格納されたオペレーティングプログラムをも含むユニットを意味すると特に理解されるべきである。
【００２４】
有利には、監視装置は少なくとも１つの光起電ユニットを含む。結果として、自律的なエネルギー供給を有利に可能にすることができる。好ましくは、光起電ユニットは、再充電可能なバッテリーを充電するように構成されている。特に、光起電ユニットは、吸収された太陽光によって電圧を生成するための少なくとも１つの太陽電池を有する少なくとも１つのソーラーパネルを備える。有利には、光起電ユニットによって充電可能な再充電可能なバッテリーに加えて、監視装置は、ソーラーパネルが例えば雪で少なくとも部分的に覆われており、かつ電流をまったく発生しないか、またはほとんど発生しない場合に、再充電可能なバッテリーが放電される時間中にエネルギーを供給するように機能する、例えば、バッテリーなどのさらなるエネルギー源を含む。
【００２５】
さらに、腐食監視ユニットは、腐食指標とは異なる少なくとも１つのさらなる腐食指標を監視するように構成されることが提示される。その結果、監視装置の信頼性および／または精度、特に、監視装置による腐食の判定の信頼性および／または精度をさらに有利に高めることができ、その結果、監視されるワイヤネットの高い安全性を達成することが有利に可能になる。有利には、監視装置の機能は、例えば、２つの監視された腐食指標が逸脱した場合に、自動警告メッセージがオペレータに伝達されることによって、結果として監視され得る。さらなる腐食指標は、特に、ワイヤネットの少なくとも一部、および／またはワイヤネットとは別個に具体化され、ワイヤネットの腐食を示し、かつ／またはワイヤネットがさらされる条件と少なくとも実質的に同一の周囲条件および／または気象条件に好ましくはさらされる要素の少なくとも一部の少なくとも１つの腐食影響特性、特に、材料特性、および／または材料構成を特に含む。好ましくは、特に、ワイヤネットの少なくとも一部の状態、強度および／または腐食の進行は、腐食指標によって判定可能である。腐食指標は、特に、少なくとも１つの表面着色、少なくとも１つの表面構成、少なくとも１つの重量損失、少なくとも１つの引裂抵抗、少なくとも１つの振動周波数、特に、共振振動周波数、電気伝導率、ワイヤネットのワイヤの少なくとも一部および／またはワイヤネットとは別に具体化された要素の少なくとも一部のオーム抵抗、ＡＣＭセンサの２個の電極間の電流、および／または好ましくは腐食要素の少なくとも１つの表面着色を含む。腐食監視ユニットは、腐食指標を登録し、かつ／または好ましくは感知するために、特に、ユーザがそれにアクセスできるようにするために、および／またはワイヤネットの状態、機能性および／または安全性を推定するために、それをデータベースと自動的に比較するように特に構成される。一例として、さらなる腐食指標は、監視装置のカメラによって記録された写真によって判定可能な、監視されるワイヤネットのワイヤの着色であることが想定され、その写真は、定期的（例えば、毎週）記録され、かつ監視の委託を受けた人に送信され、かつ／または接続が行われた上で、少なくとも１つの腐食監視ユニット、好ましくは少なくとも複数の腐食監視ユニットに向かって飛行するデータ収集ドローンに送信される。
【００２６】
さらに、腐食監視ユニットは、少なくとも１つの周囲パラメータおよび／または気象パラメータを監視するように構成された少なくとも１つの環境センサユニットを備えることが提示される。結果として、腐食、特に、腐食の進行は、周囲条件および／または気象条件に有利に関連し、その結果、例えば、腐食の場所に依存した予測を行うことができる。さらに、収集されたデータによって、ある場所で予想される特定の条件に対するワイヤネットの将来の適応および／またはワイヤネットの防食保護を有利に行うことが可能となる。環境センサユニットは、特に、少なくとも１つの気象ステーション、少なくとも１つのガスセンサ、少なくとも１つの粒子センサおよび／または少なくとも１つの放射線センサを含む。「周囲パラメータおよび／または気象パラメータ」とは、特に、少なくとも１つの気温、少なくとも１つの大気湿度、少なくとも１つの風向、少なくとも１つの風速、少なくとも１つの降水量、少なくとも１つの日射強度、少なくとも１つの微粉塵濃度、および／または少なくとも１つの大気ガス（例えば、Ｏ３、ＳＯｘおよび／またはＮＯｘ）の少なくとも１つの濃度を意味するものと理解されるべきである。好ましくは、データロガーモジュールは、時系列で測定された周囲パラメータおよび／または気象パラメータを記録するように少なくとも構成されている。好ましくは、データ転送モジュールは、確認された周囲パラメータおよび／または気象パラメータを出力するように少なくとも構成されている。好ましくは、通信モジュールは、特に自動化された方法でおよび／または定期的に周囲パラメータおよび／または気象パラメータを外部受信機に通信するように少なくとも構成されている。
【００２７】
加えて、腐食監視ユニットは、監視されるワイヤネットへの動的衝撃体の衝撃力を検知するように構成された少なくとも１つの衝撃力センサユニットを備えることが提示される。その結果、特に、以前に衝撃により既に負荷がかかった状態のワイヤネットは、比較的低い腐食の場合であっても、保護性が損なわれている可能性があるため、ワイヤネットの耐久性の推定を有利に改善することができる。例として、防食保護コーティングは、動的衝撃体の衝撃の場合に局所的に損傷する可能性があり、その結果、局所的腐食は監視ユニットによって監視される場所よりも速く進行する。従って、衝撃力センサユニットによって、監視されるワイヤネットの高い安全性を達成することが有利に可能になる。好ましくは、衝撃力センサユニットは、衝撃体がワイヤネットに衝突した場合に、ワイヤネット、特に、ワイヤネットを含むロープ構造および／またはメッシュ構造において生じる加速度に関する少なくとも１つの特性変数を検出するように構成された少なくとも１つの加速度センサを備える。好ましくは、加速度センサは、最大１００ｇ、好ましくは少なくとも最大１５０ｇ、好ましくは少なくとも最大２００ｇの加速度を測定するように少なくとも構成され、１ｇは９．８１ｍ／ｓ２の値に対応する。好ましくは、加速度センサの機能は、監視装置のハウジングユニットの外側を通過するロープおよび／または複数のロープから独立している。好ましくは、加速度センサは、ロープの支持ロープおよび／またはワイヤネットを含むメッシュ構造で生じる加速度を監視する。好ましくは、データロガーモジュールは、時系列で測定された加速度を記録するように少なくとも構成されている。好ましくは、データ転送モジュールは、確認された加速度を出力するように少なくとも構成されている。好ましくは、通信モジュールは、特に自動化された方法で、少なくとも外部受信機に加速度データを通信するように少なくとも構成されている。特に、加速度センサは、特に、活性化閾値を形成する加速度値を超える加速度値が発生した場合に、加速度センサを静止状態から活性状態に切り替える活性化機能を備えている。
【００２８】
さらに、複数の監視装置を有する監視システムが提示される。結果として、監視されるワイヤネットの高い安全性を達成することが有利に可能となる。複数の監視装置は、特に、少なくとも部分的に個別ワイヤネットおよび／または連続ワイヤネットに配置され、かつ／または好ましくは少なくとも部分的に異なる（特に、空間的に隣接する）ワイヤネットに配置することができる。加えて、監視システムが、異なる場所に分散されたワイヤネットに少なくとも部分的に割り当てられた複数の監視装置を備えることも想定される。その結果、オペレータのワイヤネットの概要の把握を有利に可能にすることができる。
【００２９】
監視装置が、特に、腐食監視ユニットの通信モジュールによってネットワーク化されている場合、オペレータのワイヤネットの概要の把握を有利に可能にすることができる。結果として、明確性および／または効率を有利に高めることができる。特に、監視装置は、ローカルハブおよび／または中央ハブを介してインターネットワーキング接続および／または相互接続されている。ローカルハブは、特に、ネットワーク化された監視装置に空間的に近接して配置され、かつローカルノードを形成する。「空間的に近接」とは、特に、最大で数キロメートル、好ましくは最大で数百メートルの距離を意味するものと理解されるべきである。中央ハブは、空間的にリモートなサーバ、例えば、ネットワークサーバおよび／またはインターネットサーバなどとして特に具体化され、これは特に、世界的に規定されている。
【００３０】
さらに、提示されるものは、少なくとも１つの監視装置を有するとともに、少なくとも１つのワイヤネット、特に、重量物を安定化させ、捕捉し、かつ／または遮断し、かつ／または保持するための保護ネットを有する、ワイヤネットの腐食を監視するシステムであって、好ましくは監視システムを有するシステムである。その結果、安全性に関して特に、有利な特性、特に、ワイヤネットの特性を提供することが可能である。有利には、ワイヤネット、特に、ワイヤネット設備の保護効果および／または耐久性を監視することができ、その結果、特に、機能不良を回避することができる。
【００３１】
加えて、ワイヤネットは、直接監視される腐食要素を少なくとも部分的に形成する少なくとも１つのインジケータ要素を含むことが提示される。結果として、腐食チェック要素とは無関係にワイヤネットの直接監視の実現性を達成することが有利に可能であり、その結果、複雑さを有利に低減することができる。特に、インジケータ要素は、ワイヤネットの少なくとも１つのネット要素と一体的に具体化される。「直接監視される腐食要素」とは、腐食監視の目的で腐食監視ユニットの接触ユニットと接触する監視される腐食要素を特に意味する。「一体的に」とは、特に、例えば、溶接プロセスおよび／または接着剤結合プロセスなどによって、凝集的に接続され、特に、有利には、１つのピースに成形される製造方法および／または単成分射出成形法または多成分射出成形法における製造方法などにより一体成形されることを意味するものと理解されるべきである。有利には、一体的とは、１つのピースを意味するものと理解されるべきである。腐食要素は、好ましくは、少なくとも部分的にワイヤネットを形成し、かつ安定化のため、特に、静的構造物のため、および／または重量物を捕捉および／または遮断および／または保持するために特に構成される。腐食要素が、例えば、色のマーキングを有することが想定され、これは、取り付け作業者用の識別特徴として特に機能する。取り付け作業者は、ワイヤネット上の監視装置用に構成された取り付け部位を簡単な方法で有利に識別する。
【００３２】
さらに、インジケータ要素は、ワイヤネットに織り込まれたネット要素として具体化されることが提示される。結果として、腐食チェック要素とは無関係にワイヤネットの直接監視の実現性を達成することが有利に可能であり、その結果、複雑さを有利に低減することができる。
【００３３】
さらに、提示されるものは、少なくとも２つの相互係合ネット要素を有し、その少なくとも１つのネット要素が、少なくとも１本の単一ワイヤ、ワイヤ束、ワイヤストランド、ワイヤロープおよび／または特に、高張力鋼から製造された少なくとも１本のワイヤを有するいくつかの他の長手方向要素から製造されたワイヤネット、特に、重量物を安定化、捕捉、および／または遮断、および／または保持するための保護ネットの腐食を監視装置によって監視する方法において、少なくとも１つの腐食指標が監視される方法である。その結果、安全性に関して特に、有利な特性、特に、ワイヤネットの特性を提供することが可能である。有利には、ワイヤネット、特に、ワイヤネット設備の保護効果および／または耐久性を監視することができ、その結果、特に、機能不良を回避することができる。
【００３４】
さらに、少なくとも腐食の強さは、電流フローの電流値によって判定されることが提示される。結果として、特に、材料侵食率に比例して、腐食に対する信頼性のある測定変数を確認することが有利に可能である。結果として、監視されるワイヤネットの高い安全性を達成することが有利に可能となる。
【００３５】
さらに、少なくとも腐食の進行は、電気抵抗の変化、特に、上昇、および／または導電率の変化、特に、低下によって判定されることが提示される。結果として、腐食に関する信頼性のある測定変数を確認することが有利に可能である。結果として、監視されるワイヤネットの高い安全性を達成することが有利に可能となる。さらに、特に、電気抵抗として、電気導電率として、電流フローとして具体化された腐食指標の閾値を超過、アンダーショット、および／または到達した場合に、自動通知、特に、自動警告メッセージがトリガーされて、通知モジュールによって特に送信されることが提示される。その結果、特に、最新の情報が常時リモートユーザに利用可能になるという事実により、ユーザの利便性をさらに有利に高めることができる。加えて、監視されるワイヤネットの安全性は、特に、ワイヤネットの腐食損傷を責任者に適時に示すことができるという事実により、有利に達成することが可能である。「閾値」は、特に、最小許容導電率として、最大許容電気抵抗として、導電率および／または電気抵抗における最大変化として、および／または特に湿度の高い周囲条件における電流フローの非存在として、および／または電流フローの非存在の持続時間として具体化される。
【００３６】
本発明による監視装置および／または本発明による方法は、本明細書で上述の用途および実施形態に限定されることを意図していない。特に、本発明による監視装置および／または本発明による方法は、本明細書に記載の機能を果たすために、本明細書に記載の数とは異なる多数の個々の要素、構成要素およびユニットを有することができる。
【図面の簡単な説明】
【００３７】
さらなる利点は、以下の図面の説明から明らかになるであろう。本発明の２つの例示的な実施形態が図面に示されている。図面、説明、および特許請求の範囲には、多数の特徴が組み合わされて含まれている。当業者はまた、特徴を個別に好都合に考慮し、それらを組み合わせて、適切なさらなる組み合わせを形成するであろう。
【図１】ワイヤネットおよび監視装置を含む腐食を監視するシステムを示す図である。
【図２】ワイヤネットのワイヤの断面を示す図である。
【図３】腐食チェック要素を有する監視装置の腐食監視ユニットを示す図である。
【図４ａ】腐食チェック要素の断面を示す図である。
【図４ｂ】腐食チェック要素の側面図である。
【図５ａ】代替の腐食チェック要素の断面図である。
【図５ｂ】代替の腐食チェック要素の側面図である。
【図６】電流−時間図を示す図である。
【図７】方法のフロー図を示す図である。
【図８】さらなる代替の腐食チェック要素を有する代替の腐食監視ユニットを示す図である。
【図９】抵抗−時間図を示す図である。
【図１０】導電率−時間図を示す図である。
【図１１】第２のさらなる代替の腐食チェック要素を有する代替の腐食監視ユニットを示す図である。
【図１２】第３のさらなる代替の腐食チェック要素を有する代替の腐食監視ユニットを示す図である。
【図１３】腐食要素の断面を示す図である。
【図１４】代替の腐食要素の断面を示す図である。
【図１５】第４のさらなる代替の腐食チェック要素を示す図である。
【図１６】ワイヤネットおよび監視装置を有する腐食を監視する代替のシステムを示す図である。
【発明を実施するための形態】
【００３８】
図１は、ワイヤネット１０ａの腐食を監視するシステム６２ａを示す。システム６２ａは監視装置を含む。システム６２ａは、ワイヤネット１０ａを含む。ワイヤネット１０ａは、重量物を捕捉および／または遮断するための保護ネットとして具体化される。代替的または追加的に、ワイヤネット１０ａは、例えば、斜面の安定化のために、重量物を保持するための保護ネットとして具体化することができる。代替的または追加的に、ワイヤネット１０ａは、特に、静的構造物および／または重量物を安定化するための保護ネットとして具体化することができる。ワイヤネット１０ａは、相互係合ネット要素１２ａから形成される。ネット要素１２ａは、ワイヤ１４ａから製造される。ワイヤ１４ａは、高張力鋼１６ａから製造される。代替的に、ネット要素１２ａは、ワイヤ束として、ワイヤストランドとして、ワイヤロープとして、および／またはワイヤ１４ａを有する他の長手方向要素として製造することができる。ネット要素１２ａは、螺旋体７２ａとして具体化される。螺旋体７２ａは、交互に配置された２個の脚部７４ａ、７６ａを有する。脚部７４ａ、７６ａは、曲げ領域７８ａで互いに接続されている。脚部７４ａ、７６ａは、曲げ領域７８ａにおいて角度８０ａで広がる。代替的に、ネット要素１２ａは、例えば、リング形状など、自身で閉鎖されるように具体化することができる。
【００３９】
ネット要素１２ａは、防食保護８２ａを有する。防食保護８２ａは、ネット要素１２ａのコーティング２８ａとして具体化される。防食保護８２ａは、防食保護コーティング３０ａとして具体化される（図２参照）。防食保護コーティング３０ａは、ワイヤ１４ａの金属コーティング８４ａとして具体化される。金属コーティング８４ａは、亜鉛コーティング８６ａとして具体化される。代替的に、金属コーティング８４ａは、亜鉛−アルミニウムコーティングとして具体化することができる。ワイヤ１４ａは、ワイヤコア９０ａを含む。防食保護コーティング３０ａは、ワイヤコア９０ａ上に接着する方法で塗布される。ワイヤコア９０ａは、高張力鋼１６ａから形成される。ワイヤコア９０ａは、直径９６ａを有する。ワイヤ１４ａは、外郭断面３６ａを有する。外郭断面３６ａは、ワイヤ１４ａ、特に、脚部７４ａ、７６ａの長手方向範囲９８ａの方向に垂直なワイヤ１４ａの断面として具体化される。ワイヤ１４ａは、総直径９２ａを有する。外郭断面３６ａは、ワイヤ１４ａの総直径９２ａを含む。外郭断面３６ａは、ワイヤコア９０ａの直径９６ａを含む。コーティング２８ａは、層厚９４ａを有する。外郭断面３６ａは、ワイヤ１４ａのコーティング２８ａ、特に、防食保護コーティング３０ａの層厚９４ａを含む。
【００４０】
システム６２ａは、監視システム６０ａを含む（図１参照）。監視システム６０ａは、複数の監視装置を含む。監視システム６０ａは、複数の腐食監視ユニット１８ａを含む。腐食監視ユニット１８ａは、少なくとも１つの腐食指標２０ａを監視するように構成されている（図６を参照）。腐食指標２０ａは、電流フローとして具体化される。腐食監視ユニット１８ａは、腐食要素２６ａ、特に、腐食要素２６ａの腐食指標２０ａを監視するように構成されている。
【００４１】
複数の監視装置は、同じワイヤネット１０ａまたは異なるワイヤネット１０ａに少なくとも部分的に割り当てることができる。複数の腐食監視ユニット１８ａは、同じワイヤネット１０ａまたは異なるワイヤネット１０ａに少なくとも部分的に配置することができる。監視装置は、ネットワーク化されている。監視装置のネットワークは、無線である。腐食監視ユニット１８ａは、さらなる腐食監視ユニット１８ａと共にネットワーク化することができる。代替的または追加的に、腐食監視ユニット１８ａは、さらなる装置と共に、例えば、少なくとも１つのスマートフォン２２８ａ、少なくとも１つのタブレット、少なくとも１つのドローン２３０ａ、および／または少なくとも１つのインターネット対応装置２３２ａ（例えば、インターネットサーバ）、および／またはさらなる外部受信機４４ａと共にネットワーク化することができる。腐食監視ユニット１８ａのネットワークは、無線である。
【００４２】
腐食監視ユニット１８ａは、ワイヤネット１０ａ上に配置されている。腐食監視ユニット１８ａは、ワイヤネット１０ａに直接固定されている。腐食監視ユニット１８ａは、ワイヤネット１０ａに接触する。腐食監視ユニット１８ａは、腐食監視ユニット１８ａをワイヤネット１０ａに固定し、ワイヤネット１０ａに対して相対的に固定するように構成された固定ユニット（図示せず）を備える。
【００４３】
腐食監視ユニット１８ａは、腐食チェック要素２２ａを含む。腐食チェック要素２２ａは、腐食指標２０ａを判定するための少なくとも部分的な情報を供給するように構成されている。腐食チェック要素２２ａは、ＡＣＭ（大気腐食モニタ）センサ２１６ａとして具体化される。腐食監視ユニット１８ａは、少なくとも１つのさらなる腐食チェック要素４８ａを含む。さらなる腐食チェック要素４８ａは、腐食チェック要素２２ａと少なくとも実質的に同一に具体化される。さらなる腐食チェック要素４８ａは、ＡＣＭ（大気腐食モニタ）センサ２１６ａとして具体化される。さらなる腐食チェック要素４８ａは、腐食チェック要素２２ａの空間的方位とは著しく異なる空間的方位を有する。さらに、腐食監視ユニット１８ａは、追加のさらなる腐食チェック要素１１６ａ、１１８ａを含む。追加のさらなる腐食チェック要素１１６ａ、１１８ａは、腐食チェック要素２２ａと少なくとも実質的に同一に具体化される。追加のさらなる腐食チェック要素１１６ａは、腐食チェック要素２２ａの方位と少なくとも実質的に同一の方位を有する。追加のさらなる腐食チェック要素１１８ａは、さらなる腐食チェック要素４８ａの方位と少なくとも実質的に同一の方位を有する。
【００４４】
腐食監視ユニット１８ａは、保持ユニット１００ａを含む。保持ユニット１００ａは、腐食チェック要素２２ａ、４８ａを腐食監視ユニット１８ａ上に取り付けるように構成されている。保持ユニット１００ａは、腐食チェック要素２２ａ、４８ａを腐食監視ユニット１８ａに対して相対的に取り付けるように構成されている。保持ユニット１００ａは、複数のホルダ１０２ａを含む。ホルダ１０２ａは、保持クランプ１０６ａとして具体化される。ホルダ１０２ａは、腐食チェック要素２２ａ、４８ａと少なくとも電気的に接触する。このために、一例として、腐食チェック要素２２ａ、４８ａの接触要素２３４ａ、２３６ａが、緩められた状態の保持クランプ１０６ａの領域に挿入されて、ネジを締め付けることによって固定される。ホルダ１０２ａは、腐食監視ユニット１８ａのベース本体１０４ａから立設されるように具体化される。結果として、例えば、シェーディングの結果として、搭載された腐食チェック要素２２ａ、４８ａの腐食に対する腐食監視ユニット１８ａへの影響を有利に低減することができる。搭載された腐食チェック要素２２ａ、４８ａの腐食に対する腐食監視ユニットへの影響をさらに低減するために、ホルダ１０２ａは、図３に示される例示的な実施形態よりも腐食監視ユニット１８ａのベース本体１０４からさらに離れた位置に腐食チェック要素２２ａ、４８ａを搭載することが想定される。一例として、このために、ワイヤネット１０ａに別々に固定することが可能な保持ユニット１００ａおよび／またはホルダ１０２ａが想定される。
【００４５】
腐食監視ユニット１８ａは、電気センサユニット２４ａを含む（図３を参照）。電気センサユニット２４ａは、腐食指標２０ａを監視するように構成されている。電気センサユニット２４ａは、電圧計１０８ａを含む。電圧計１０８ａは、腐食チェック要素２２ａ、４８ａに存在する電圧を測定するように構成されている。電気センサユニット２４ａは、電流計１１０ａを含む。電流計１１０ａは、腐食チェック要素２２ａ、４８ａを通る電流フローおよび／または腐食チェック要素２２ａ、４８ａ内の電流フローを測定するように構成されている。電流計１１０ａは、無抵抗電流計として具体化される。電流計１１０ａは、ＡＣＭセンサ２１６ａのガルバニック電流を測定するように構成されている。
【００４６】
電気センサユニット２４ａは、電流および／または電圧生成モジュール１１２ａを含む。電流および／または電圧生成モジュール１１２ａは、腐食チェック要素２２ａ、４８ａに電流および／または電圧を印加するように構成されている。腐食監視ユニット１８ａは、パルス方式で少なくとも部分的に動作可能である。電流および／または電圧生成モジュール１１２ａは、パルス方式で動作可能である。腐食監視ユニット１８ａは、制御および／または調整ユニット１１４ａを含む。制御および／または調整ユニット１１４ａは、パルス方式で動作可能である。制御および／または調整ユニット１１４ａは、腐食監視ユニット１８ａおよび／またはその構成要素のパルス動作の閉ループ制御用に構成されている。
【００４７】
腐食監視ユニット１８ａは、少なくとも１つのさらなる腐食指標５２ａを監視するように構成されている。さらなる腐食指標５２ａは、腐食指標２０ａとは異なる。示される例示的な実施形態では、さらなる腐食指標５２ａは、腐食要素２６ａおよび／または腐食チェック要素２２ａ、４８ａの少なくとも部分的な表面変色として具体化される。表面変色は、腐食要素２６ａおよび／または腐食チェック要素２２ａ、４８ａの赤錆色を含む。代替的に、さらなる腐食指標５２ａは、監視されるワイヤネット１０ａの少なくとも一部の表面変色を含む。さらなる腐食指標５２ａの監視は、主として、腐食指標２０ａの測定結果の妥当性をチェックするのに役立つ。
【００４８】
腐食監視ユニット１８ａは、少なくとも１つのさらなる電気センサユニット５４ａを含む。さらなる電気センサユニット５４ａは、さらなる腐食指標５２ａを監視するように構成されている。さらなる電気センサユニット５４ａの検出方法は、電気センサユニット２４ａの検出方法とは異なる。さらなる電気センサユニット５４ａの検出方法は、腐食要素２６ａの表面の視覚的検出を含む。さらなる電気センサユニット５４ａは、カメラ１２０ａを含む。制御および／または調整ユニット１１４ａは、カメラ１２０ａによって記録された画像の色の識別および／または画像の識別を実行するように構成されている。データ転送モジュール３８ａは、さらなる電気センサユニット５４ａによって記録された画像および／または画像に基づいて制御および／または調整ユニット１１４ａによって取得されたデータを出力するように構成されている。さらなる電気センサユニット５４ａは、パルス方式で動作可能である。例として、カメラ１２０ａは、１〜２週間ごとに画像をキャプチャする。カメラ１２０ａは、ケーブル接続１２２ａによってベース本体１０４ａに接続されている。代替的に、カメラ１２０ａは、腐食監視ユニット１８ａ、特に、制御および／または調整ユニット１１４ａおよび／または腐食監視ユニット１８ａのデータ転送モジュール３８ａと無線で通信することも想定される。
【００４９】
腐食監視ユニット１８ａは、環境センサユニット５６ａを含む。環境センサユニット５６ａは、少なくとも１つの周囲パラメータおよび／または気象パラメータを監視するように構成されている。環境センサユニット５６ａは、風速計１２４ａを含む。風速計１２４ａは、風速を測定するように構成されている。環境センサユニット５６ａは、温度計１２６ａを含む。温度計１２６ａは、周囲温度を測定するように構成されている。環境センサユニット５６ａは、降水量測定ユニット１２８ａを含む。降水量測定ユニット１２８ａは、降水量を測定するように構成されている。降水量測定ユニット１２８ａが、降水量のｐＨを判定するための酸性度計１９８ａを含むことが想定される。環境センサユニット５６ａは、微粉塵測定ユニット１３０ａを含む。微粉塵測定ユニット１３０ａは、微粉塵濃度、特に、ＰＭ１０を測定するように構成されている。環境センサユニット５６ａは、ガス測定ユニット１３２ａを含む。ガス測定ユニット１３２ａは、ガス濃度、特に、ＳＯｘ、ＮＯｘおよび／またはＯ３を測定するように構成されている。環境センサユニット５６ａは、風向測定ユニット１３４ａを含む。風向測定ユニット１３４ａは、風向を測定するように構成されている。環境センサユニット５６ａは、液体比重計１３６ａを含む。液体比重計１３６ａは、相対空気湿度を測定するように構成されている。データ転送モジュール３８ａは、環境センサユニット５６ａによって記録されたデータを出力するように構成されている。環境センサユニット５６ａは、パルス方式で動作可能である。例として、環境センサユニット５６ａは、１時間から２４時間ごとに個々の周囲パラメータを検出する。環境センサユニット５６ａは、ベース本体１０４ａに固定的に接続されている。代替的に、環境センサユニット５６ａが、腐食監視ユニット１８ａ、特に、制御および／または調整ユニット１１４ａ、および／またはデータ転送モジュール３８ａと無線で通信することも想定される。
【００５０】
腐食監視ユニット１８ａは、少なくとも１つの衝撃力センサユニット５８ａを含む。衝撃力センサユニット５８ａは、監視されるべきワイヤネット１０ａへの動的衝撃体の衝撃力を感知するように構成されている。衝撃力センサユニット５８ａは、少なくとも１つの加速度センサ１３８ａを含む。加速度センサ１３８ａは、動的な衝撃体が発生した場合に生じる加速度を検出するように構成されている。衝撃力センサユニット５８ａは、ワイヤネット１０ａを支持する支持ロープ１４０ａ上に取り付けるために構成されている。衝撃力センサユニット５８ａは、取り付け要素１４２ａを含む。取り付け要素１４２ａは、ワイヤネット１０ａを周方向に支持する支持ロープ１４０ａを囲むように構成されている。衝撃力センサユニット５８ａは、ワイヤネット１０ａを支持する支持ロープ１４０ａの動き、特に、加速度を検出するように構成されている。データ転送モジュール３８ａは、衝撃力センサユニット５８ａによって記録されたデータを出力するように構成されている。衝撃力センサユニット５８ａは、ケーブル接続１２２ａによってベース本体１０４ａに固定的に接続されている。代替的に、衝撃力センサユニット５８ａが、腐食監視ユニット１８ａ、特に、制御および／または調整ユニット１１４ａ、および／またはデータ転送モジュール３８ａと無線で通信することが想定される。
【００５１】
データ転送モジュール３８ａは、確認された腐食指標２０ａ、５２ａを出力するように構成されている。データ転送モジュール３８ａは、電気センサユニット２４ａ、特に、腐食指標２０ａ、５２ａによって確認されたデータを腐食監視ユニット１８ａのさらなる構成要素に出力する。腐食監視ユニット１８ａは、少なくとも１つのデータロガーモジュール４０ａを含む。データロガーモジュール４０ａは、データ転送モジュール３８ａの少なくとも１つの出力を記録するように構成されている。データロガーモジュール４０ａは、腐食指標２０ａ（図６をも参照）、さらなる腐食指標５２ａ、環境センサユニット５６ａによって検出されたパラメータおよび／または衝撃力センサユニット５８ａによって検出されたパラメータの時系列を記録するように構成されている。データロガーモジュール４０ａは、物理メモリおよび／または仮想メモリを有するストレージユニット１４４ａを含む。ストレージユニット１４４ａは、腐食指標２０ａ、５２ａおよび／またはデータロガーモジュール４０ａによって記録された時系列を少なくとも一時的に記憶するように構成されている。
【００５２】
腐食監視ユニット１８ａは、少なくとも１つの補正モジュール４６ａを含む。補正モジュール４６ａは、腐食の監視中および／または腐食指標２０ａ、５２ａの監視中に潜在的に発生する系統的エラーを特定し、かつ／または補正するように少なくとも構成されている。補正モジュール４６ａは、データセットおよび／または時系列のドリフトを自動的に特定するように構成されている。ドリフト特定のために、補正モジュール４６ａは、制御および／または調整ユニット１１４ａの計算能力を利用することができる。
【００５３】
腐食監視ユニット１８ａは、通信モジュール４２ａを含む。通信モジュール４２ａは、データ転送モジュール３８ａによって出力されたデータを外部受信機４４ａに通信するように少なくとも構成されている。通信モジュール４２は、情報キャリアとして電磁波を送信および／または受信するための送信および／または受信アンテナ１４６ａを含む。通信モジュール４２ａは、電気通信接続により通信するように構成されている。通信モジュール４２ａは、腐食指標２０ａ、５２ａおよび／または周囲パラメータおよび／または気象パラメータに関するデータを自動化された方法で送信するように構成されている。通信モジュール４２ａは、メッセージ、特に、テキストメッセージを自動化された方法で送信するように構成されている。通信モジュール４２ａは、データ転送のための移動無線規格により通信する。モバイル無線規格は、ＧＳＭデータ接続として具体化されている。代替的に、モバイル無線規格は、ＥＤＧＥデータ接続、ＧＰＲＳデータ接続、および／またはＨＳＣＳＤデータ接続として具体化することができる。
【００５４】
腐食監視ユニット１８ａは、接触ユニット１８８ａを含む。接触ユニット１８８ａは、２個の接触端子１９０ａを含む。接触端子１９０ａは、腐食指標２０ａを確認するために腐食要素２６ａに接触するように構成されている。接触端子１９０ａは、ケーブル接続１２２ａによってベース本体１０４ａに接続されている。
【００５５】
監視装置は、光起電ユニット５０ａを含む。光起電ユニット５０ａは、腐食監視ユニット１８ａ、特に、腐食監視ユニット１８ａの構成要素に電流および／または電圧を供給するように構成されている。光起電ユニット５０ａは、太陽電池を有するソーラーパネル１５２ａを含む。ソーラーパネル１５２ａは、光を電気エネルギーに変換するように構成されている。腐食監視ユニット１８ａは、充電可能なバッテリー１４８ａを含む。腐食監視ユニット１８ａは、バッテリー１５０ａを含む。再充電可能なバッテリー１４８ａおよび／またはバッテリー１５０ａは、腐食監視ユニット１８ａ、特に、腐食監視ユニット１８ａの構成要素に電流および／または電圧を供給するように構成されている。光起電ユニット５０ａは、充電可能なバッテリー１４８ａを電気的に充電するように構成されている。バッテリー１５０ａは、充電式バッテリー１４８ａが放電されるときに、腐食監視ユニット１８ａに電流および／または電圧を供給するように構成されている。
【００５６】
図４ａは、腐食要素２６ａの断面を示している。腐食要素２６ａは、腐食チェック要素２２ａ、４８ａとして具体化される。腐食チェック要素２２ａ、４８ａは、ＡＣＭセンサ２１６ａとして具体化される。ＡＣＭセンサ２１６ａは、７個の電極２０４ａ、２０６ａを含む。電極２０４ａ、２０６ａは、互いに平行に配向されている。６個の外側電極２０６ａは、中央電極２０４ａの周りに円形に配置されている。一方の電極２０４ａは、アノード２１０ａを形成する。一方の電極２０６ａは、カソード２１２ａを形成する。６個の外側電極２０６ａは、共にカソード２１２ａを形成する。アノード２１０ａを形成する電極２０４ａは、ワイヤ１４ａと実質的に同一に具体化される。アノード２１０ａを形成する電極２０４ａは、コーティング２８ａを有する。アノード２１０ａのコーティング２８ａは、監視されるワイヤネット１０ａのワイヤ１４ａの防食保護コーティング３０ａと少なくとも実質的に同一に具体化される。カソード２１２ａを形成する電極２０６ａは、少なくとも示される断面の領域において、アノード２１０ａの外形と実質的に同一の外形を有する。カソード２１２ａを形成する電極２０６ａの表面２４０ａは、カソード２１２ａの表面２３８ａよりも多くの電気陽性金属を含む。カソード２１２ａの表面２４０ａは、鋼、特に、高張力鋼１６ａから形成されている。アノード２１０ａの表面２３８ａは、亜鉛から形成されている。電極２０４ａ、２０６ａは、互いに接触しないように配置されている。ＡＣＭセンサ２１６ａは、電気絶縁体３２ａを含む。電気絶縁体３２ａは、空隙として具体化される。アノード２１０ａとカソード２１２ａの電極２０６ａとの間には距離２１８ａが設けられている。アノード２１０ａとカソード２１２ａの電極２０６ａとの間の距離２１８ａは０．２ｍｍである。カソード２１２ａの電極２０６ａ間に距離２２０ａが設けられている。カソード２１２ａの電極２０６ａ間の距離２２０ａは０．２ｍｍである。
【００５７】
図４ｂは、ＡＣＭセンサ２１６ａとして具体化された腐食チェック要素２２ａ、４８ａの側面図を示す。側端部において、ＡＣＭセンサ２１６ａは、絶縁体３２ａとして具体化される２個の端部キャップ２４２ａ、２４４ａを含む。端部キャップ２４２ａ、２４４ａは、電極２０４ａ、２０６ａの保持部として機能する。アノード２１０ａの電極２０４ａは、端部キャップ２４２ａを貫通して導かれる。アノード２１０ａの導かれる貫通部分は、接触要素２３４ａを形成する。カソード２１２ａの電極２０６ａは、端部キャップ２４４ａ内で纏められ、端部キャップ２４４ａを貫通して共に導かれる。カソード２１２ａの導かれる貫通部分は、さらなる接触要素２３６ａを形成する。乾燥状態では、絶縁体３２ａにより、アノード２１０ａとカソード２１２ａとの間の接続には電流が流れない。例えば、ＡＣＭセンサ２１６ａが凝縮水分または沈殿水分の結果として濡れた場合、電流が、水に溶解した導電性粒子（例えば、イオン）によって流れる。アノード２１０ａとカソード２１２ａの異なる材料の異なる酸化還元電位が、この電流フローを駆動する。電流が流れる場合、材料はアノード２１０ａから侵食される。電流フローは、材料侵食に比例する（図６を参照）。電流フローは、水に溶解する化学物質の種類および量に依存する。例として、例えば、硫酸塩や塩化ナトリウムなどの塩の量が増加すると、電流フローが増加する。
【００５８】
図５ａに示されるようなＡＣＭセンサ２１６’ａの代替の実施形態では、ＡＣＭセンサ２１６’ａの電極２０４’ａ、２０６’ａの代替の配置が示されている。電極２０４’ａ、２０６’ａは、半分に分割されたワイヤに対応する外形を有する。電極２０４’ａ、２０６’ａの平坦な側において、電極２０４’ａ、２０６’ａが基板２４６’ａ上に適用される。基板２４６’ａは、電気絶縁体３２’ａとして具体化される。電極２０４’ａ、２０６’ａは、互いに平行に配向されている。電極２０４’ａ、２０６’ａは、共通の平面上に配向されている。電極２０４’ａ、２０６’ａは、互いに距離を置いて配置されている。２個の電極２０４’ａ、２０６’ａ間の距離２４８’ａは０．２ｍｍである。２個の中央電極２０４’ａは、アノード２１０’ａを形成する。６個の外側電極２０６’ａは、カソード２１２’ａを形成する。アノード２１０’ａの２個の電極２０４’ａは、ＡＣＭセンサ２１６’ａの一方の側端部において纏められて、接触要素２３４’ａを形成する（図５ｂを参照）。カソード２１２’ａの６個の電極２０６’ａは、ＡＣＭセンサ２１６’ａのさらなる側端部において纏められて、さらなる接触要素２３６’ａを形成する。
【００５９】
図６は、電流−時間図２２４ａを示している。ＡＣＭセンサ２１６ａの電流フローが、横座標６６ａにプロットされている。時間が、縦座標６８ａにプロットされている。電流フローは、交互の曲線プロファイル２２２ａを示す。曲線プロファイル２２２ａは、電流が流れていない一部区間を示している。アノード２１０ａの材料侵食の曲線プロファイル２２６ａは、破線曲線として示されている。電流フローの曲線プロファイル２２２ａおよび材料侵食の曲線プロファイル２２６ａは相関している。電流フローの値が大きいということは、材料侵食の値が大きいことを意味し、逆もまた同様である。電流フローの増加は、腐食の増大を示している。電流フローがゼロに低下した場合、制御および／または調整ユニット１１４ａにおいて時間ｔが経過し始める。その間に電流フローが再びゼロを超える値に上昇することなく、時間ｔが閾値７０ａに達すると、通信モジュール４２ａは警告メッセージを送信する。
【００６０】
図７は、ワイヤネット１０ａの腐食を監視する方法のフロー図を示している。少なくとも１つの方法ステップ１９２ａでは、腐食指標２０ａは腐食監視ユニット１８ａによって監視される。少なくとも１つの方法ステップ２０２ａでは、腐食指標２０ａは、電気センサユニット２４ａによって確認される。少なくとも１つの方法ステップ２５０ａにおいて、腐食の強度は、ＡＣＭセンサ２１６ａの電流フローによって判定される。少なくとも１つの方法ステップ１９４ａでは、腐食の進行は、腐食要素２６ａおよび／または腐食チェック要素２２ａの電気抵抗の変化および／または電気導電率の変化によって判定される。少なくとも１つの方法ステップ８８ａでは、腐食指標２０ａの閾値７０ａを超過、アンダーショットおよび／または到達した場合、自動通知がトリガーされ、特に、通信モジュール４２ａによって自動通知が自動的に送信される。
【００６１】
図８から図１６は、本発明の３つのさらなる例示的な実施形態を示している。以下の説明および図面は、基本的に例示的な実施形態間の相違に限定され、同一に指定された構成部品に関して、特に、同一の参照番号を有する構成部品に関して、原則として、他の例示的な実施形態、特に図１〜図７の図面および／または説明を参照し得る。例示的な実施形態を区別するために、図１〜図７の例示的な実施形態の参照番号に文字ａが添付されている。図８から図１５の例示的な実施形態では、文字ａは文字ｂからｄに置き換えられている。
【００６２】
図８は、ワイヤネット１０ｂの腐食を監視するための代替の監視装置を示している。監視装置は、腐食監視ユニット１８ｂを含む。腐食監視ユニット１８ｂは、少なくとも１つの代替の腐食指標２０ｂを監視するように構成されている。腐食監視ユニット１８ｂは、代替の腐食要素２６ｂ、特に、腐食要素２６ｂの腐食指標２０ｂを監視するように構成されている。腐食要素２６ｂは、腐食チェック要素２２ｂとして具体化される。腐食チェック要素２２は、ワイヤネット１０ｂのワイヤ１４ｂのセグメントと実質的に同一に具体化される。腐食チェック要素２２ｂは、直線状のワイヤ状形状１５４ｂを有する。初期状態では、腐食チェック要素２２ｂは、ワイヤネット１０ｂの配送状態で監視されるワイヤネット１０ｂのワイヤ１４ｂの外郭断面３６ｂと少なくとも実質的に同一の外郭断面３４ｂ（図１３参照）を有する。
【００６３】
腐食指標２０ｂは、腐食要素２６ｂの物理的および／または化学的特性として具体化される。腐食指標２０ｂは、腐食要素２６ｂの少なくとも電気導電率および／または腐食要素２６ｂの少なくとも電気抵抗を含む。腐食指標２０ｂは、腐食要素２６ｂのコーティング２８ｂの電気導電率および／または腐食要素２６ｂのコーティング２８ｂの電気抵抗を含む（図９および図１０を参照）。腐食監視ユニット１８ｂは、少なくとも１つのさらなる腐食チェック要素４８ｂを含む。さらなる腐食チェック要素４８ｂは、腐食チェック要素２２ｂと少なくとも実質的に同一に具体化される。さらなる腐食チェック要素４８ｂは、直線状のワイヤ状形状１５６ｂを有する。図９は、抵抗−時間図１６６ｂを示している。腐食要素２６ｂから生じるオーム抵抗は、横座標６６ｂにプロットされている。時間は、縦座標６８ｂにプロットされている。オーム抵抗は、上昇曲線プロファイル１６８ｂを示す。オーム抵抗の上昇は、腐食の進行を示している。加えて、破線はオーム抵抗の閾値７０ｂを示している。閾値７０ｂは、経時的に一定である。上昇曲線プロファイル１６８ｂは、時間Ｔで閾値７０ｂを超える。
【００６４】
図１０は、導電率−時間図１７０ｂを示している。腐食要素２６ｂから生じる電気導電率は、横座標６６ｂにプロットされている。時間は、縦座標６８ｂにプロットされている。電気伝導率は、下降曲線プロファイル１７２ｂを示す。電気導電率の低下は、腐食の進行を示している。加えて、破線は、電気導電率の閾値７０ｂを示している。閾値７０ｂは、経時的に一定である。下降曲線プロファイル１７２ｂは、時間Ｔで閾値７０ｂを下回る。
【００６５】
図１１は、第２のさらなる代替の腐食チェック要素２２’ｂおよび第２のさらなる代替のさらなる腐食チェック要素４８’ｂを有する代替の腐食監視ユニット１８ｂを示す。腐食チェック要素２２’ｂは、２個の脚部１７４ｂ、１７６ｂおよび曲げ領域１７８ｂを含む。さらなる腐食チェック要素４８’ｂは、２個の脚部１８０ｂ、１８２ｂおよび曲げ領域１８４ｂを含む。脚部１７４ｂ、１７６ｂ、１８０ｂ、１８２ｂは、ワイヤネット１０ｂの螺旋体７２ｂの脚部７４ｂ、７６ｂと少なくとも実質的に同一に具体化される。曲げ領域１７８ｂ、１８４ｂは、螺旋体７２ｂの曲げ領域７８ｂと少なくとも実質的に同一に具体化される。腐食チェック要素２２’ｂおよびさらなる腐食チェック要素４８’ｂは、互いに係合する。腐食指標２０ｂは、腐食チェック要素２２’ｂの２個の脚部１７４ｂ、１７６ｂの間で取り出される。さらなる腐食チェック要素４８’ｂの２個の脚部１８０ｂ、１８２ｂは、腐食監視ユニット１８ｂの保持ユニット１００ｂのホルダ１０２ｂ上で電気的に絶縁されている。図１１に示すような腐食チェック要素２２’ｂ、４８’ｂの配置は、ワイヤネット１０ｂの螺旋体７２ｂの配置を有利に複製し、その結果、現実的な腐食監視を有利に可能にすることができる。
【００６６】
図１２は、第３のさらなる代替の腐食チェック要素２２’ｂを有する代替の腐食監視ユニット１８ｂを示す。腐食チェック要素２２’’ｂは、リングメッシュ（図示せず）のネット要素１２ｂとして具体化される。腐食チェック要素２２’’ｂは、自身が閉鎖されたリングメッシュのリング要素１８６ｂとして具体化される。腐食指標２０ｂは、腐食チェック要素２２’’ｂの個々のホルダ１０２ｂとの２つの接触点の間で取り出される。図１２に示す腐食チェック要素２２’’ｂは、リングメッシュのリング要素１８６ｂを有利に複製し、その結果、リングメッシュの現実的な腐食監視を有利に可能にすることができる。
【００６７】
図１３は、代替の腐食要素２６ｂの断面を示している。腐食要素２６ｂはコーティング２８ｂを有する。腐食要素２６ｂのコーティング２８ｂは、監視されるワイヤネット１０ｂのワイヤ１４ｂの防食保護コーティング３０ｂと少なくとも実質的に同一に具体化される。腐食要素２６ｂのコーティング２８ｂは、ワイヤ１４ｂの防食保護コーティング３０ｂの層厚９４ｂと少なくとも実質的に同一の層厚１５８ｂを有する。腐食要素２６ｂのコーティング２８ｂは、特に、ワイヤ１４ｂの防食保護コーティング３０ｂを含む、ワイヤ１４ｂの総直径９２ｂと少なくとも実質的に同一の外径１６０ｂを有する。腐食要素２６ｂのコーティング２８ｂは、ワイヤ１４ｂのワイヤコア９０ｂの直径９６ｂと少なくとも実質的に同一の内径１６２ｂを有する。腐食要素２６ｂのコーティング２８ｂは、ワイヤ１４ｂのコーティング２８ｂの材料と少なくとも実質的に同一の材料から形成される。
【００６８】
監視装置は、電気絶縁体３２ｂを含む。腐食要素２６ｂは、電気絶縁体３２ｂを含む。腐食チェック要素２２ｂは、電気絶縁体３２ｂを含む。電気絶縁体３２ｂは、腐食要素２６ｂおよび／または腐食チェック要素２２ｂを通る電流フローの範囲を少なくとも部分的に空間的に定めるように構成されている。電流フローは、電気絶縁体３２ｂによって、腐食要素２６ｂの一部および／または腐食に最もさらされる腐食チェック要素２２ｂの一部に空間的に範囲が定められる。電流フローは、電気絶縁体３２ｂによって、腐食要素２６ｂの一部および／または表面近傍にある腐食チェック要素２２ｂの一部に空間的に範囲が定められる。「表面近傍」は、特に、腐食要素２６ｂおよび／または腐食チェック要素２２ｂの外側領域を意味すると理解されるべきであり、この外側領域は、円筒の側面の形状であり、かつ０．０５＊ｒ、好ましくは、０．１＊ｒ、好ましくは、０．２＊ｒの最大深さを有し、ここで、ｒは、特に、腐食要素２６ｂおよび／または腐食チェック要素２２ｂの半径２００ｂを表す。電流フローは、電気絶縁体３２ｂによって、腐食要素２６ｂおよび／または腐食チェック要素２２ｂのコーティング２８ｂに空間的に範囲が定められる。電気絶縁体３２ｂは、耐腐食性の非導電性材料、好ましくは、プラスチックおよび／またはガラスから製造される。電気絶縁体３２ｂは、腐食要素２６ｂの内部に少なくとも部分的に配置される。図１３に示される例示的な実施形態において、電気絶縁体３２ｂは、腐食要素２６ｂの絶縁コア１６４ｂを形成する。腐食要素２６ｂのコーティング２８ｂは、絶縁コア１６４ｂを周方向に囲むように腐食要素２６ｂの絶縁コア１６４ｂ上に接着する方法で塗布される。
【００６９】
図１４に示される例示的な実施形態は、代替の電気絶縁体３２’ｂを有する腐食要素２６ｂを示す。電気絶縁体３２’ｂは、腐食要素２６ｂのワイヤコア９０ｂと腐食要素２６ｂのコーティング２８ｂとの間の絶縁中間層として具体化される。電気絶縁体３２’ｂは、腐食要素２６ｂのワイヤコア９０ｂと腐食要素２６ｂのコーティング２８ｂとを電気的に絶縁する。腐食要素２６ｂの電気絶縁体３２’ｂは、チューブ形状を有する。腐食要素２６ｂの電気絶縁体３２’ｂは、層厚１９６ｂを有する。層厚１９６ｂは、腐食要素２６ｂのコーティング２８ｂの層厚９４ｂよりも薄い。腐食要素２６ｂの電気絶縁体３２’ｂは、腐食要素２６ｂのワイヤコア９０ｂの高張力鋼１６ｂ上に接着する。腐食要素２６ｂの電気絶縁体３２’ｂは、腐食要素２６ｂのコーティング２８ｂ上に接着する。腐食要素２６ｂの電気絶縁体３２’ｂは、腐食要素２６ｂのコーティング２８ｂの接着性の改善をもたらす。
【００７０】
図１５は、ワイヤネット１０ｃの腐食を監視する監視装置の腐食監視ユニット１８ｃの第４のさらなる代替の腐食チェック要素２２ｃを示す。腐食チェック要素２２ｃは、スティックインジケータ２０８ｃとして具体化される。スティックインジケータ２０８ｃは、７個の腐食チェックスティック２１４ｃを含む。腐食チェックスティック２１４ｃは、腐食チェックスティック２１４ｃの表面上にコーティング２８ｃを有する。腐食チェックスティック２１４ｃのコーティング２８ｃは、個々の場合で異なる。腐食チェックスティック２１４ｃのコーティング２８ｃは、個々の場合で異なる厚さを有する。複数の腐食チェックスティック２１４ｃの複数のコーティング２８ｃは、コーティング２８ｃの厚さに応じて上部から底部に向かって昇順に配置されている。５個の最上部の腐食チェックスティック２１４ｃは、監視されるワイヤネット１０ｃのワイヤ１４ｃの防食保護コーティング３０ｃよりも薄いコーティング２８ｃを有する。第６の腐食チェックスティック２１４ｃは、監視されるワイヤネット１０ｃのワイヤ１４ｃの防食保護コーティング３０ｃの厚さと実質的に等しい厚さを有するコーティング２８ｃを有する。第７の腐食チェックスティック２１４ｃは、監視されるワイヤネット１０ｃのワイヤ１４ｃの防食保護コーティング３０ｃよりも厚いコーティング２８ｃを有する。腐食チェックスティック２１４ｃのコーティング２８ｃの材料は、監視されるワイヤネット１０ｃのワイヤ１４ｃの防食保護コーティング３０ｃの材料に実質的に対応する。腐食チェックスティック２１４ｃのコーティング２８ｃは、亜鉛コーティング８６ｃとして具体化される。スティックインジケータ２０８ｃは、ワイヤネット１０ｃの近傍領域に嵌め込まれるように構成されている。代替的に、スティックインジケータ２０８ｃが監視位置においてワイヤネット１０ｃとは独立して設置されることが想定される。その結果、ワイヤネット１０ｃの設置前に場所の腐食性を確認することが有利に可能となり、その結果、設置されるワイヤネット１０ｃのワイヤ１４ｃの防食保護コーティング３０ｃの最適化された選択を有利に行うことができる。スティックインジケータ２０８ｃは、複数の取り付け要素２５２ｃを含む。複数の取り付け要素２５２ｃは、複数の取り付け要素を貫通する取り付け手段を導くための複数の穴として具体化される。複数の取り付け手段は、例えば、ケーブルタイとして具体化することができる。腐食チェックスティック２１４ｃは、監視位置において腐食性の周囲条件、例えば、気象条件下にさらされる。腐食チェックスティック２１４ｃは、監視されるワイヤネット１０ｃと同様に腐食する。腐食が進行するにつれて、コーティング２８ｃは各腐食チェックスティック２１４ｃから徐々に侵食される。コーティング２８ｃが完全に侵食されると、腐食チェックスティック２１４ｃの下にあるコア材料が出現する。コア材料は、ワイヤ１４ｃのワイヤコア９０ｃの材料に実質的に対応する。コアの材料は、高張力鋼１６ｃである。腐食がさらに進行すると、高張力鋼１６ｃ上に赤錆が形成される。腐食の状態は、スティックインジケータ２０８ｃの光学的観察によって有利に判定することができる。材料侵食は、既に赤錆が発生している多数の腐食チェックスティック２１４ｃに基づいて有利に推定することができる。腐食監視ユニット１８ｃの電気センサユニット２４ｃ、５４ｃのカメラ１２０ｃは、スティックインジケータ２０８ｃの画像を記録するように構成されている。腐食監視ユニット１８ｃの通信モジュール４２ｃにより、スティックインジケータ２０８ｃの記録された画像は、観察のためにオペレータに利用可能となる。代替的または追加的に、監視装置のドローン２３０ｃは、スティックインジケータ２０８ｃ上を飛行してスティックインジケータ２０８ｃを撮影することができる。スティックインジケータ２０８ｃは、４個の位置合わせ特徴２５４ｃを備える。位置合わせ特徴２５４ｃは、十字として具体化される。位置合わせ特徴２５４ｃは、個々の場合において、スティックインジケータ２０８ｃの角部近傍の領域に配置される。スティックインジケータ２０８ｃは、識別特徴２５６ｃを有する。識別特徴２５６ｃは、バーコードとして具体化される。識別特徴２５６ｃは、スティックインジケータ２０８ｃを場所および／またはワイヤネット１０ｃに割り当てるのに役立つ。
【００７１】
図１６は、ワイヤネット１０ｄの腐食を監視する代替のシステム６２ｄを示している。システム６２ｄは監視装置を含む。システム６２ｄは、ワイヤネット１０ｄを含む。ワイヤネット１０ｄは、重量物を捕捉および／または遮断するための保護ネットとして具体化される。ワイヤネット１０ｄは、相互係合ネット要素１２ｄから形成される。ネット要素１２ｄは、ワイヤ１４ｄから製造される。ワイヤ１４ｄは、高張力鋼１６ｄから製造されている。ワイヤネット１０ｄは、インジケータ要素６４ｄを含む。インジケータ要素６４ｄは、直接監視される腐食要素２６ｄを少なくとも部分的に形成する。インジケータ要素６４ｄは、ワイヤネット１０ｄに織り込まれたネット要素１２ｄとして具体化される。監視装置は、腐食監視ユニット１８ｄを含む。腐食監視ユニット１８ｄは、腐食要素２６ｄを直接監視するように構成されている。腐食監視ユニット１８ｄは、接触ユニット１８８ｄを含む。接触ユニット１８８ｄは、２個の接触端子１９０ｄを含む。接触端子１９０ｄは、２つの別個の場所でインジケータ要素６４ｄに電気的に接触する。接触端子１９０ｄは、２つの別個の場所でインジケータ要素６４ｄのコーティング２８ｄに電気的に接触する。腐食指標２０ｄを監視するために、電流がインジケータ要素６４ｄを介して一方の接触端子１９０ｄから他方の接触端子１９０ｄに流れる。
【図１】
0006922086.tif 000002
【図２】
0006922086.tif 000003
【図３】
0006922086.tif 000004
【図４ａ】
0006922086.tif 000005
【図４ｂ】
0006922086.tif 000006
【図５ａ】
0006922086.tif 000007
【図５ｂ】
0006922086.tif 000008
【図６】
0006922086.tif 000009
【図７】
0006922086.tif 000010
【図８】
0006922086.tif 000011
【図９】
0006922086.tif 000012
【図１０】
0006922086.tif 000013
【図１１】
0006922086.tif 000014
【図１２】
0006922086.tif 000015
【図１３】
0006922086.tif 000016
【図１４】
0006922086.tif 000017
【図１５】
0006922086.tif 000018
【図１６】
0006922086.tif 000019